【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
印刷条件を設定するための複数の設定項目が配置されている設定用シートを表示部に出力可能な印刷制御装置であって、
前記設定用シートに配置される設定項目を説明するお知らせ項目を表示する条件であるお知らせ条件を記憶する記憶手段と、
前記設定用シートの呼び出しを受けた場合に、前記記憶手段に記憶されたお知らせ条件を満たすかを判定する判定手段と、
前記判定手段でお知らせ条件を満たすと判定された場合に、前記設定用シートの形式で前記お知らせ項目を表示する表示手段と、
を備えることを特徴とする印刷制御装置。
【請求項２】
前記設定項目を説明するお知らせ項目と当該設定項目の設定を受け付ける設定用シートとが紐付けられたリンク情報を記憶するリンク情報記憶手段と、
前記お知らせ項目が選択されたか否かを判定する選択判定手段と、
前記選択判定手段でユーザによりお知らせ項目が選択されたと判定された場合に、前記リンク情報記憶手段で記憶されたリンク情報に従って、当該お知らせ項目に紐付けられた当該設定用シートを表示する設定表示手段と、
を更に備えることを特徴とする請求項１記載の印刷制御装置。
【請求項３】
お知らせ項目を表示するために必要な前記印刷装置のオプションユニットの構成が定められたオプション条件を記憶するオプション条件記憶手段と、
前記印刷装置のオプションユニットの構成を取得する取得手段と、
前記取得手段で取得したオプションユニットの構成と、前記条件記憶手段で記憶されたオプション条件とからお知らせ項目を表示するか否かを判定するオプション判定手段と、
前記オプション判定手段での判定結果に従って当該お知らせ項目の表示を制御する表示制御手段と、
を更に備え、
前記表示制御手段は、前記オプション判定手段で、前記取得手段で取得したオプションユニットの構成がオプション条件を満たすと判定された場合は当該お知らせ項目を表示し、一方、オプション条件を満たさないと判定された場合は当該お知らせ項目を表示しないことを特徴とする請求項１又は２に記載の印刷制御装置。
【請求項４】
前記表示手段は、前記設定用シートとは異なる、前記設定用シートの形式であるお知らせ用シートに前記お知らせ項目を表示することを特徴とする請求項１乃至３のいずれか１項に記載の印刷制御装置。
【請求項５】
前記お知らせ条件は、前記設定用シートを呼び出した回数により前記お知らせ項目を表示させるか否かの条件であることを特徴とする請求項１乃至４のいずれか１項に記載の印刷制御装置。
【請求項６】
前記お知らせ条件は、前記印刷装置に対するプリンタドライバをインストールしてから現在までの経過時間により前記お知らせ項目を表示させるか否かの条件であることを特徴とする請求項１乃至５のいずれか1項に記載の印刷制御装置。
【請求項７】
印刷条件を設定するための複数の設定項目が配置されている設定用シートを表示部に出力可能な印刷制御装置における印刷制御方法であって、
前記印刷制御装置の記憶手段が、前記設定用シートに配置される設定項目を説明するお知らせ項目を表示するか否かの条件であるお知らせ条件を記憶する記憶工程と、
前記印刷制御装置の判定手段が、前記設定用シートの呼び出しを受けた場合に、前記記憶工程で記憶されたお知らせ条件を満たすかを判定する判定工程と、
前記印刷制御装置の表示手段が、前記判定工程で前記印刷制御装置が前記お知らせ条件を満たすと判定された場合に、前記設定用シートの形式で前記お知らせ項目を表示する表示工程と、
を備えることを特徴とする印刷制御方法。
【請求項８】
前記印刷制御装置のリンク情報記憶手段が、前記設定項目を説明するお知らせ項目と当該設定項目の設定を受け付ける設定用シートとが紐付けられたリンク情報を記憶するリンク情報記憶工程と、
前記印刷制御装置の選択判定手段が、前記お知らせ項目が選択されたか否かを判定する選択判定工程と、
前記印刷制御装置の設定表示手段が、前記選択判定工程でユーザによりお知らせ項目が選択されたと判定された場合に、前記リンク情報記憶工程で記憶されたリンク情報に従って、当該お知らせ項目に紐付けられた当該設定用シートを表示する設定表示工程と、
を更に備えることを特徴とする請求項７記載の印刷制御方法。
【請求項９】
前記印刷制御装置のオプション条件記憶手段が、お知らせ項目を表示するために必要な前記印刷装置のオプションユニットの構成が定められたオプション条件を記憶するオプション条件記憶工程と、
前記印刷制御装置の取得手段が、前記印刷装置のオプションユニットの構成を取得する取得工程と、
前記印刷制御装置のオプション判定手段が、前記取得工程で取得したオプションユニットの構成と、前記条件記憶工程で記憶されたオプション条件とからお知らせ項目を表示するか否かを判定するオプション判定工程と、
前記印刷制御装置の表示制御手段が、前記オプション判定手段での判定結果に従って当該お知らせ項目の表示を制御する表示制御工程と、
を更に備え、
前記表示制御工程は、前記オプション判定工程で、前記取得工程で取得したオプションユニットの構成がオプション条件を満たすと判定された場合は当該お知らせ項目を表示し、一方、オプション条件を満たさないと判定された場合は当該お知らせ項目を表示しないことを特徴とする請求項７又は８に記載の印刷制御方法。
【請求項１０】
前記表示工程は、前記設定用シートとは異なる、前記設定用シートの形式であるお知らせ用シートに前記お知らせ項目を表示することを特徴とする請求項７乃至９のいずれか１項に記載の印刷制御方法。
【請求項１１】
前記お知らせ条件は、前記設定用シートを呼び出した回数により前記お知らせ項目を表示させるか否かの条件であることを特徴とする請求項７乃至１０のいずれか１項に記載の印刷制御方法。
【請求項１２】
前記お知らせ条件は、前記印刷装置に対するプリンタドライバをインストールしてから現在までの経過時間により前記お知らせ項目を表示させるか否かの条件であることを特徴とする請求項７乃至１１のいずれか1項に記載の印刷制御方法。
【請求項１３】
コンピュータを、印刷条件を設定するための複数の設定項目が配置されている設定用シートを表示部に出力可能な印刷制御装置として機能させるコンピュータプログラムであって、
前記設定用シートに配置される設定項目を説明するお知らせ項目を表示するか否かの条件であるお知らせ条件を記憶する記憶手段と、
前記設定用シートの呼び出しを受けた場合に、前記記憶手段に記憶されたお知らせ条件を満たすかを判定する判定手段と、
前記判定手段で前記印刷制御装置が前記お知らせ条件を満たすと判定された場合に、前記設定用シートの形式で前記お知らせ項目を表示する表示手段
として機能させることを特徴とするコンピュータ読み取り実行可能なコンピュータプログラム。
【請求項１４】
前記コンピュータを、更に、
前記設定項目を説明するお知らせ項目と当該設定項目の設定を受け付ける設定用シートとが紐付けられたリンク情報を記憶するリンク情報記憶手段と、
前記お知らせ項目が選択されたか否かを判定する選択判定手段と、
前記選択判定手段でユーザによりお知らせ項目が選択されたと判定された場合に、前記リンク情報記憶手段で記憶されたリンク情報に従って、当該お知らせ項目に紐付けられた当該設定用シートを表示する設定表示手段
として機能させることを特徴とする請求項１３に記載のコンピュータ読み取り実行可能なコンピュータプログラム。
【請求項１５】
前記コンピュータを、更に、
お知らせ項目を表示するために必要な前記印刷装置のオプションユニットの構成が定められたオプション条件を記憶するオプション条件記憶手段と、
前記印刷装置のオプションユニットの構成を取得する取得手段と、
前記取得手段で取得したオプションユニットの構成と、前記条件記憶手段で記憶されたオプション条件とからお知らせ項目を表示するか否かを判定するオプション判定手段と、
前記オプション判定手段での判定結果に従って当該お知らせ項目の表示を制御する表示制御手段として機能させ、
前記表示制御手段は、前記オプション判定手段で、前記取得手段で取得したオプションユニットの構成がオプション条件を満たすと判定された場合は当該お知らせ項目を表示し、一方、オプション条件を満たさないと判定された場合は当該お知らせ項目を表示しないことを特徴とする請求項１３又は１４に記載のコンピュータ読み取り実行可能なコンピュータプログラム。
【請求項１６】
前記表示手段は、前記設定用シートとは異なる、前記設定用シートの形式であるお知らせ用シートに前記お知らせ項目を表示することを特徴とする請求項１３乃至１５のいずれか１項に記載のコンピュータ読み取り実行可能なコンピュータプログラム。
【請求項１７】
前記お知らせ条件は、前記設定用シートを呼び出した回数により前記お知らせ項目を表示させるか否かの条件であることを特徴とする請求項１３乃至１６のいずれか１項に記載のコンピュータ読み取り実行可能なコンピュータプログラム。
【請求項１８】
前記お知らせ条件は、前記印刷装置に対するプリンタドライバをインストールしてから現在までの経過時間により前記お知らせ項目を表示させるか否かの条件であることを特徴とする請求項１３乃至１７のいずれか1項に記載のコンピュータ読み取り実行可能なコンピュータプログラム。
【手続補正２】
【補正対象書類名】明細書
【補正対象項目名】発明の名称
【補正方法】変更
【補正の内容】
【発明の名称】印刷制御装置および印刷制御方法およびコンピュータが読み取り実行可能なコンピュータプログラム
【手続補正３】
【補正対象書類名】明細書
【補正対象項目名】０００１
【補正方法】変更
【補正の内容】
【０００１】
本発明は、印刷条件を設定するための複数の設定項目が配置されている設定用シートを表示可能な印刷制御装置および印刷制御方法およびプログラムに関するものである。
【手続補正４】
【補正対象書類名】明細書
【補正対象項目名】０００８
【補正方法】変更
【補正の内容】
【０００８】
本発明は、上記の課題を解決するためになされたもので、本発明の第1の目的は、ユーザに宣伝したい印刷条件をより簡単にユーザに知らせる仕組みを提供することである。また、本発明の第２の目的は、ユーザに対して、その印刷条件の設定を行う画面をより簡単に表示させる仕組みを提供することである。
【手続補正５】
【補正対象書類名】明細書
【補正対象項目名】００１０
【補正方法】変更
【補正の内容】
【００１０】
印刷条件を設定するための複数の設定項目が配置されている設定用シートを表示部に出力可能な印刷制御装置であって、前記設定用シートに配置される設定項目を説明するお知らせ項目を表示するか否かの条件であるお知らせ条件を記憶する記憶手段と、前記記憶手段に記憶されたお知らせ条件を前記印刷制御装置が満たすかを判定する判定手段と、前記判定手段で前記印刷制御装置が前記お知らせ条件を満たすと判定された場合に、前記設定用シートの形式で前記お知らせ項目を表示する表示手段と、を備えることを特徴とする。
【手続補正６】
【補正対象書類名】明細書
【補正対象項目名】００１２
【補正方法】変更
【補正の内容】
【００１２】
印刷条件を設定するための複数の設定項目が配置されている設定用シートを表示部に出力可能な印刷制御装置における印刷制御方法であって、前記印刷制御装置の記憶手段が、前記設定用シートに配置される設定項目を説明するお知らせ項目を表示するか否かの条件であるお知らせ条件を記憶する記憶工程と、前記印刷制御装置の判定手段が、前記記憶工程で記憶されたお知らせ条件を前記印刷制御装置が満たすかを判定する判定工程と、前記印刷制御装置の表示手段が、前記判定工程で前記印刷制御装置が前記お知らせ条件を満たすと判定された場合に、前記設定用シートの形式で前記お知らせ項目を表示する表示工程と、を備えることを特徴とする。
【手続補正７】
【補正対象書類名】明細書
【補正対象項目名】００１３
【補正方法】変更
【補正の内容】
【００１３】
本発明によれば、ユーザに宣伝したい印刷条件をより簡単にユーザに知らせることを実現できるようになる。
【手続補正８】
【補正対象書類名】明細書
【補正対象項目名】００１４
【補正方法】削除
【補正の内容】